(57)【要約】靴およびその他の装着用の物品にアクセサリーを固定するためのシステムおよび方法が記載される。１つの例示的な実施形態は、靴に装飾的なアクセサリーを取り付けるためのシステムであり、このシステムは、第１および第２の端を含む軸と；軸の第１の端に固定された第１のショルダーであって、この第１のショルダーは、靴の上部における拡張可能な穴を通って挿入するように構成されており、靴の上部の内面と係合するように構成されている、第１のショルダーと；軸の第２の端に固定された第２のショルダーであって、この第２のショルダーは、靴と係合するように構成されている、第２のショルダーと；第２のショルダーと隣接する第３のショルダーであって、この第３のショルダーは、装飾的なアクセサリーを含んでいる、第３のショルダーと、を備えている。別の例示的な実施形態は、靴に装飾的なアクセサリーを固定するためのシステムを提供する。
2009500125.tif 000002
【特許請求の範囲】
【請求項１】
靴に装飾的なアクセサリーを取り付けるためのシステムであって、該システムは、
第１および第２の端を有している軸と、
該軸の該第１の端に固定された第１のショルダーであって、該第１のショルダーは、該靴の上部における拡張可能な穴を通って挿入するように構成されており、該靴の該上部の内面と係合するように構成されている、第１のショルダーと、
該軸の該第２の端に固定された第２のショルダーであって、該第２のショルダーは、該靴と係合するように構成されている、第２のショルダーと、
該第２のショルダーに隣接している第３のショルダーであって、該第３のショルダーは、該装飾的なアクセサリーを含んでいる、第３のショルダーと
を備えている、システム。
【請求項２】
前記第１のショルダーは、薄型のショルダーを含んでいる、請求項１に記載のシステム。
【請求項３】
前記第２のショルダーは、前記靴の前記上部の外面と係合するように構成されている、請求項１に記載のシステム。
【請求項４】
前記第３のショルダーは、前記靴の前記上部の外面と係合するように構成されており、前記第２のショルダーは、拡張されていない状態の前記拡張可能な穴の中にフィットするように構成されており、該第２のショルダーは、横方向の安定性を提供する、請求項１に記載のシステム。
【請求項５】
前記装飾的なアクセサリーは、前記靴の前記上部の外面と係合するように構成されている、請求項１に記載のシステム。
【請求項６】
前記第３のショルダーは、前記第２のショルダーに対して平らに搭載されている、請求項１に記載のシステム。
【請求項７】
前記第３のショルダーは、前記第２のショルダーの上面から延びている第４のショルダーの周囲に成形されている、請求項１に記載のシステム。
【請求項８】
前記第３のショルダーは、ピンのヘッド部分の周囲に成形されており、該ピンの該ヘッド部分は、前記第２のショルダーの上面から延びており、該第２のショルダーは、該ピンのニードル部分の周囲に成形されている、請求項１に記載のシステム。
【請求項９】
前記軸、および前記第１、第２、および第３のショルダーのうちの少なくとも１つは、単一のピースとして一体に形成されている、請求項１に記載のシステム。
【請求項１０】
前記軸、および前記第１、第２、および第３のショルダーは、単一のピースとして一体に形成されている、請求項１に記載のシステム。
【請求項１１】
前記第１のショルダーは、前記軸に取り外し可能なように固定されている、請求項１に記載のシステム。
【請求項１２】
前記第１のショルダーは、バイオネットファスナー受容部を含んでいる、請求項１１に記載のシステム。
【請求項１３】
前記軸は、前記バイオネットファスナー受容部を係合するためのバイオネットファスナーを含んでいる、請求項１２に記載のシステム。
【請求項１４】
前記第１のショルダーは、スナップ受容部を含んでいる、請求項１１に記載のシステム。
【請求項１５】
前記軸は、前記スナップ受容部を係合するための突起を含んでいる、請求項１４に記載のシステム。
【請求項１６】
前記第１のショルダーは、バレルナットの第１の部分を含んでいる、請求項１１に記載のシステム。
【請求項１７】
前記軸は、前記バレルナットの前記第１の部分を係合するように構成されたバレルナットの第２の部分を含んでおり、該バレルナットの該第１および第２の部分は、一方がオスであり、他方がメスである、請求項１６に記載のシステム。
【請求項１８】
前記靴は、伸縮可能な材料から形成された成形された靴である、請求項１に記載のシステム。
【請求項１９】
靴に装飾的なアクセサリーを固定するためのシステムであって、該システムは、
上部を有している靴であって、該上部は、内面、外面、および少なくとも１つの伸縮可能な穴を有している、靴と、
第１および第２の端を有している軸と、
該軸の該第１の端に固定された第１のショルダーであって、該第１のショルダーは、該靴の該上部における少なくとも１つの伸縮可能な穴の中に挿入するように、かつ該靴の該上部の該内面と係合するように構成されている、第１のショルダーと、
該軸の該第２の端に固定された第２のショルダーであって、該第２のショルダーは、該靴と係合するように構成されている、第２のショルダーと、
該第２のショルダーに隣接している第３のショルダーであって、該第３のショルダーは、該装飾的なアクセサリーを含んでいる、第３のショルダーと
を備えている、システム。
【請求項２０】
前記第２のショルダーは、前記靴の前記上部の前記外面と係合するように構成されている、請求項１９に記載のシステム。
【請求項２１】
前記第３のショルダーは、前記靴の前記上部の前記外面と係合するように構成されており、前記第２のショルダーは、弛緩された状態の前記少なくとも１つの伸縮可能な穴の中にフィットするように構成されており、該第２のショルダーは、横方向の安定性を提供する、請求項１９に記載のシステム。
【請求項２２】
前記装飾的なアクセサリーは、前記靴の前記上部の前記外面と係合するように構成されている、請求項１９に記載のシステム。
【請求項２３】
前記軸、および前記第１、第２、および第３のショルダーのうちの少なくとも１つは、単一のピースとして一体に形成されている、請求項１９に記載のシステム。
【請求項２４】
前記軸、および前記第１、第２、および第３のショルダーは、単一のピースとして一体に形成されている、請求項１９に記載のシステム。
【請求項２５】
前記第１のショルダーは、前記軸に回転可能なように固定されている、請求項１９に記載のシステム。
【請求項２６】
前記靴は、伸縮可能な材料から形成された成形された靴である、請求項１９に記載のシステム。
【請求項２７】
靴に装飾的なアクセサリーを固定するためのシステムであって、該靴は、該靴の上部において少なくとも１つの拡張可能な穴を有しており、該システムは、
第１および第２の端を有している軸と、
該軸の該第１の端に固定された第１のショルダーであって、該第１のショルダーは、該少なくとも１つの拡張可能な穴のうちの１つを通って挿入するように構成されており、該靴の該上部の内面と係合するように構成されており、該第１のショルダーは、該拡張可能な穴が拡張していない状態のときに、該第１のショルダーが挿入される穴よりも直径が大きい、第１のショルダーと、
該軸の該第２の端に固定された第２のショルダーであって、該第２のショルダーは、該靴の該上部の外面と係合するように構成されており、該第２のショルダーは、装飾的なアクセサリーを含んでいる、第２のショルダーと
を備えている、システム。
【請求項２８】
少なくとも前記第１のショルダーおよび前記軸は、可撓性材料の単一のピースとして一体に形成されている、請求項２７に記載のシステム。
【請求項２９】
前記第２のショルダーは、装飾的なアクセサリーである、請求項２７に記載のシステム。
【請求項３０】
靴に装飾的なアクセサリーを固定するためのシステムであって、該靴は、該靴の上部において少なくとも１つの拡張可能な穴を有しており、該システムは、
第１および第２の端を有しているネジ切りされた軸と、
該ネジ切りされた軸の該第１の端に固定された第１のショルダーであって、該第１のショルダーは、該靴の上部の内面と係合するように構成されており、該ネジ切りされた軸は、該少なくとも１つの拡張可能な穴の１つの中に挿入するように構成されている、第１のショルダーと、
該ネジ切りされた軸と噛み合うネジ切りされた穴を有している第２のショルダーであって、該第２のショルダーは、該ネジ切りされた穴が該ネジ切りされた軸と係合するときに、該靴の該上部の外面と係合するように構成されている、第２のショルダーと、
該第２のショルダーに隣接している第３のショルダーであって、該第３のショルダーは、該装飾的なアクセサリーを含んでいる、第３のショルダーと
を備えている、システム。
【請求項３１】
前記第１のショルダーは、丸みが付けられている薄型のショルダーである、請求項３０に記載のシステム。
【発明の詳細な説明】
【技術分野】
【０００１】
（優先権）
本出願は、以下の共有かつ同一出願人の出願からの優先権を主張する：第６０／６９７，３２６号、代理人管理番号第ＳＣＨＭ−００２／００ＵＳ号、題名「ＭＡＮＵＦＡＣＴＵＲＩＮＧ  ＡＮＤ  ＭＡＲＫＥＴＩＮＧ  ＭＥＴＨＯＤ  ＦＯＲ  ＡＣＣＥＳＳＯＲＩＺＩＮＧ  ＳＨＯＥＳ」；出願第６０／７０４，６４５号、代理人管理番号第ＳＣＨＭ−００３／００ＵＳ号、題名「ＭＡＮＵＦＡＣＴＵＲＩＮＧ  ＡＮＤ  ＭＡＲＫＥＴＩＮＧ  ＭＥＴＨＯＤ  ＦＯＲ  ＡＣＣＥＳＳＯＲＩＺＩＮＧ  ＳＨＯＥＳ」；および出願第６０／７３７，１１５号、代理人管理番号第ＳＣＨＭ−００４／０００ＵＳ号、題名「ＭＡＮＵＦＡＣＴＵＲＩＮＧ  ＡＮＤ  ＭＡＲＫＥＴＩＮＧ  ＭＥＴＨＯＤ  ＦＯＲ  ＡＣＣＥＳＳＯＲＩＺＩＮＧ  ＳＨＯＥＳ」；各出願は、本明細書中に参照により援用される。
【０００２】
（関連出願）
本出願は、以下の共有かつ同一出願人の出願に関連する：米国意匠出願（出願番号未定)、代理人管理番号第ＳＣＨＭ−００５／００ＵＳ号、題名「ＳＨＯＥ  ＡＣＣＥＳＳＯＲＹ」（本出願と同一出願日に出願）；米国特許出願（出願番号未定)、代理人管理番号第ＳＣＨＭ−００６／００ＵＳ号、題名「ＳＨＯＥ  ＡＣＣＥＳＳＯＲＹ」（本出願と同一出願日に出願)；米国特許出願（出願番号未定)、代理人管理番号第ＳＣＨＭ−００７／００ＵＳ号、題名「ＳＨＯＥ  ＡＣＣＥＳＳＯＲＹ」（本出願日と同一出願日に出願）。
【０００３】
（著作権）
本特許文書の開示の一部は、著作権保護の対象物を含む。本特許開示は、特許商標庁の特許ファイルまたは特許記録から見ることができるので、何人による本特許開示の複製の複写に対しても異議を唱えないが、いずれにせよ全ての著作権を留保する。
【０００４】
（本発明の分野）
本発明は、衣類にアクセサリーを固定するためのシステムおよび方法に関する。特に、しかし限定するわけではないが、本発明は、伸縮可能な穴を有する靴にアクセサリーを固定するためのシステムおよび方法に関する。
【背景技術】
【０００５】
（発明の背景）
衣類の製造業者は、近年、伸縮可能な材料（例えば、フォーム）からなる靴およびベルトのような物品を製造し始めるようになった。例えば、靴の製造業者は、靴の上部に拡張可能な穴を含む成形された靴を製造し始めるようになった。これらの靴は、概して、外部の保護層を有するフォーム材料から形成されている。ＣＲＯＣＳ（ＴＭ）（コロラド州ボルダー所在）は、これらのタイプの靴の製造業者の１つである。図１は、上部１１０に拡張可能な穴１０５を有する典型的な成形された靴１００を示している。
【０００６】
これらの成形された靴にアクセサリーを装着することは、困難な問題を提示する。というのも、上部１１０における拡張可能な穴１０５は装着者の足に近いからである。さらにこれらの成形された靴は、しばしば戸外の活動に用いられるので、任意のアクセサリーの耐久性が重要となる。加えて、これらの成形された靴の子供モデルおよび成人モデルは、異なるサイズの穴を有し得、上部は異なる厚さからなり得る。これらの差異は、全てのタイプの靴にフィットするアクセサリーを設計することを困難にしている。異なる穴のサイズおよび厚さの材料に関連する同じ問題は、ベルトおよび帽子のようなその他の装着用の物品にも当てはまる。
【発明の開示】
【発明が解決しようとする課題】
【０００７】
したがって、当該分野において、衣類にアクセサリーを固定するための改善されたシステムおよび方法を提供する必要性が存在することは明らかである。
【課題を解決するための手段】
【０００８】
（発明の概要）
図面に示されている本発明の例示的な実施形態は、概略すると以下の通りである。これらおよびその他の実施形態は、詳細な説明の節においてより十分に記載される。しかしながら、本発明の概要または詳細な説明に記載されている形態に本発明を限定する意図はないことが理解されるべきである。当業者は、数多くの改変、等化物、および代替的な構成が、請求の範囲に記載されている本発明の精神および範囲の中に含まれることを理解し得る。
【０００９】
本発明は、衣類にアクセサリーを固定するためのシステムおよび方法を提供する。１つの例示的な実施形態は、靴に装飾的なアクセサリーを取り付けるためのシステムであり、このシステムは、第１および第２の端を含む軸と；軸の第１の端に固定された第１のショルダーであって、この第１のショルダーは、靴の上部における拡張可能な穴を通って挿入するように構成されており、靴の上部の内面と係合するように構成されている、第１のショルダーと；軸の第２の端に固定された第２のショルダーであって、この第２のショルダーは、靴と係合するように構成されている、第２のショルダーと；第２のショルダーと隣接している第３のショルダーであって、この第３のショルダーは、装飾的なアクセサリーを含んでいる、第３のショルダーと、を備えている。
【００１０】
別の例示的な実施形態は、靴に装飾的なアクセサリーを固定するためのシステムであり、このシステムは、上部を有する靴であって、この上部は、内面、外面、および少なくとも１つの伸縮可能な穴を有している、靴と；第１および第２の端を有している軸と；軸の第１の端に固定された第１のショルダーであって、この第１のショルダーは、靴の上部における少なくとも１つの伸縮可能な穴の中に挿入し、靴の上部の内面と係合するように構成されている、第１のショルダーと；軸の第２の端に固定されている第２のショルダーであって、この第２のショルダーは靴と係合するように構成されている、第２のショルダーと；第２のショルダーに隣接している第３のショルダーであって、この第３のショルダーは、装飾的なアクセサリーを含んでいる、第３のショルダーと、を備えている。これらおよびその他の実施形態は、本明細書中でより詳細に記載される。
【発明を実施するための最良の形態】
【００１１】
本発明の様々な目的、および利点、およびより十分な理解は、添付の図面と関連して以下の詳細な説明および添付の請求の範囲を参照することによって、明確かつより容易に理解される。
【００１２】
（詳細な説明）
ここで図面を参照すると、同じまたは同様の要素は、いくつかの図面を通して一意的な参照番号を用いて指定されている。特に図２Ａを参照すると、本発明の例示的な実施形態にしたがう、衣類に装飾的なアクセサリー２０５を取り付けるためのシステム２００が示されている。図２Ａの例示的な実施形態において、システム２００は、拡張可能な穴１０５のうちの１つを介することにより、成形された靴１００に装飾的なアクセサリー２０５を取り付けている。成形された靴１００は、図２Ａでは単なる例示目的で示されている。その他の実施形態において、この靴は、その他のタイプの成形された靴であり得る。さらに他の実施形態において、システム２００は、システム２００の固定部分の挿入のための伸縮可能な穴を有するベルト、帽子、およびスカーフを含むその他の装着用の物品に、装飾的なアクセサリー２０５を取り付け得る。例えば、ベルトまたは帽子は、フォーム材料から形成されたもので得る。スカーフは、伸縮可能な材料（例えば、ヤーン）から編まれたものであり得、システム２００の固定部分が挿入され得る穴を有し得る。
【００１３】
図２Ｂは、本発明の例示的な実施形態にしたがう、衣類に装飾的なアクセサリー２０５を取り付けるためのシステム２００を示している。図２Ｂは、システム２００の側面図を示している。この例示的な実施形態において、システム２００は、軸２１０、軸２１０の１つの端に固定された第１のショルダー２１５、軸２１０の反対の端に固定された第２のショルダー２２０、および第２のショルダー２２０に隣接している第３のショルダー２２５を含んでいる。以下で明らかになる理由により、第１のショルダー２１５は、「内部ショルダー（ｉｎｎｅｒ  ｓｈｏｌｄｅｒ）」と称され、第２のショルダー２２０および第３のショルダー２２５は、「外部ショルダー（ｏｕｔｅｒ  ｓｈｏｌｄｅｒ）」と称される。
【００１４】
第１のショルダー２１５は、装着用の物品における拡張可能な穴（例えば、成形された靴１００における拡張可能な穴１０５）を通って挿入するように構成されている。拡張可能な穴が拡張していない状態のときに、第１のショルダー２１５は、拡張可能な穴よりも大きいので、第１のショルダーは、システム２００を装着用の物品に固定し得る。第１のショルダー２１５は、装着用の物品の内面（例えば、成形された靴１００の内面）と係合し得る。整形された靴１００に取り付けられたときに、第１のショルダー２１５は装着者の足に近くなるので、快適性を増大させるためには、第１のショルダー２１５は、薄型（ｌｏｗ−ｐｒｏｆｉｌｅ）であることが有利である。第１のショルダー２１５が軸２１０に取り外し可能なように固定される実施形態において、軸２１０は、拡張可能な穴１０５の中に挿入され得、第１のショルダー２１５は、装着用の物品の内面上に配置され得、軸２１０に固定され得る。
【００１５】
第２のショルダー２２０は、装着用の物品（例えば、成形された靴１００）と係合するが、これがどのようにして装着用の物品と係合するのかは、図２Ｃおよび図２Ｄに関連して以下でより十分に説明される実施形態に依存して変動する。
【００１６】
図２Ｂに示されている実施形態において、第３のショルダー２２５は、第２のショルダー２２０に対して平らに搭載（ｆｌｕｓｈ  ｍｏｕｎｔ）されている。平らに搭載することは、様々な方法で達成され得る。一実施形態において、第３のショルダー２２５は、第２のショルダー２２０に糊付けされ得る。一部の実施形態において、装飾的なアクセサリー２０５は、第３のショルダー２２５とは別個のものであり、適切な化学的なファスナー（例えば、糊）または機械的なファスナーによって、第３のショルダー２２５に取り付けられる。その他の実施形態において、装飾的なアクセサリー２０５は、第３のショルダー２２５とは完全または部分的に一体化（例えば、成形）されている。一部の実施形態において、第３のショルダー２２５および装飾的なアクセサリー２０５は、１つの同じものである。例えば、装飾的なアクセサリーは、第３のショルダー２２５の露出表面上にスタンプまたはエンボス加工された（オプションとしてレリーフ加工された）「スマイリーフェース（ｓｍｉｌｙ  ｆａｃｅ）」のようなデザインであり得る。
【００１７】
軸２１０、第１のショルダー２１５、第２のショルダー２２０、および第３のショルダー２２５は、実施形態に依存して、その横断面の形状を変動させ得る。例えば、第３のショルダー２２５および装飾的なアクセサリー２０５が１つの同じものである場合、第３のショルダー２２５は、蛙、蝶、ハート、または任意のその他の装飾的な形状であり得る。一部の実施形態において、軸２１０および第２のショルダー２２０は円筒状の形状であり得、第１のショルダー２１５は円形かつ凹状の形状であり得、「皿（ｄｉｓｈ）」の底は装着用の物品の内面に離れて面し得る。図２Ｅおよび図２Ｆは、本発明のその他の例示的な実施形態にしたがう、第１のショルダー２１５の底面図であり、代替的な横断面の形状を示している。図２Ｅおよび図２Ｆにおいて、第２のショルダー２２０および第３のショルダー２２５は、明瞭化のために省略されている。
【００１８】
一部の実施形態において、軸２１０、第１のショルダー２１５、第２のショルダー２２０、および第３のショルダー２２５（これは、装飾用のアクセサリー２０５を含み得る）の全ては、単一のピースとして一体的に形成される（例えば、これらは単一部分のピースのプラスチックから成形される）。その他の実施形態において、第１のショルダー２１５および第２のショルダー２２０の一方または両方は、軸２１０に取り外し可能なように固定される。一部の実施形態において、第３のショルダー２２５は、第２のショルダー２２０に取り外し可能なように固定される。取り外し可能なように取り付けられたショルダーを有する実施形態において、取り外し可能なショルダーは、スナップファスナー、調整可能なバレルナット、バイオネットファスナー、またはその他の適切なファスナーによって、軸２１０に取り付けられ得る。
【００１９】
図２Ｃは、本発明の別の例示的な実施形態にしたがう、装着用の物品における拡張可能な穴を通るように第１のショルダー２１５を挿入した後のシステム２００を示している。この実施形態において、第２のショルダー２２０は、拡張されていない状態の拡張可能な穴１０５にフィットするように構成されており、第３のショルダー２２５が、装着用の物品の外面（例えば、成形された靴１００の上部１１０の外面）と係合することを可能にしている。図２Ｃに示されている実施形態は、比較的厚い材料および比較的大きな直径の拡張可能な穴１０５（例えば、成人モデルの成形された靴１００に見出され得る）に適応する。第２のショルダー２２０は、拡張されていない状態の拡張可能な穴１０５内に収容されるので、これは、システム２００に追加的な横方向の安定性を提供する。
【００２０】
図２Ｃに示されている例示的な実施形態において、第２のショルダー２２０および第３のショルダー２２５は、ピン２３０によって互いに対して固定されている。第３のショルダー２２５は、ピン２３０のヘッド部分２３５の周囲に成形されており、第２のショルダー２２０は、ピン２３０のニードル部分２４０の周囲に形成されており、これは製造中にポップリベットを形成する。
【００２１】
図２Ｄは、本発明のさらに別の実施形態にしたがう、装着用の物品における拡張可能な穴を通るように第１のショルダー２１５を挿入した後のシステム２００を示している。一実施形態において、第２のショルダー２２０は、拡張されていない状態の拡張可能な穴１０５よりも大きい。結果として、第２のショルダー２２０は、装着用の物品の外面（例えば、上部１１０の外面）と係合し、スペーサとして機能する。図２Ｄに示されている実施形態は、比較的薄い材料および比較的小さな直径の拡張可能な穴１０５（例えば、子供モデルの靴１００に見出され得る）に適応する。図２Ｄに示されている例示的な実施形態において、第２のショルダー２２５は、第２のショルダー２２０の上面から延びている第４のショルダー２４５のまわりに成形される。
【００２２】
システム２００のショルダーは、プラスチック、金属、およびラバーを含む、任意の材料から形成され得る。加えて、ショルダーは、内部の剛性部分（例えば金属）および外部のソファー部分（例えばラバー）を含み得、この外部のソファー部分は、装着者に増大した快適性を提供する。さらに、軸２１０は、プラスチック、金属、およびラバーを含む、任意の材料から形成され得る。軸２１０は、内部の剛性部分と外部のソファー部分とを含んでおり、装着者に増大した快適性を提供する。
【００２３】
図２Ｂ〜図２Ｄに示されている実施形態とは別の実施形態において、システム２００は、２つのショルダー（例えば、第１のショルダー２１５および第２のショルダー２２０）のみを含み得る。これらの実施形態において、第２のショルダー２２０は、図２Ｂ〜図２Ｄに示された実施形態における第３のショルダー２２５に類似している。例えば、装飾的なアクセサリー２０５は、そのようなショルダーが２個のデザインにおいては、第２のショルダー２２０と完全または部分的に一体化され得る。
【００２４】
図３〜図１５Ｃは、本発明の例示的な実施形態にしたがう、装着用の物品に装飾用のアクセサリー２０５を取り付けるためのシステムのショルダーの形状およびサイズにおけるバリエーション、ならびにシステムの１つ以上のショルダーが軸２１０に取り付けられ得る方法におけるバリエーションを示している。図３〜図１５Ｃに示されている実施形態のほとんどにおいて、２つのショルダーのみが示されている。当然ながら、必要に応じて、第３のショルダーが、これらの実施形態に追加され得る。
【００２５】
図３は、本発明の例示的な実施形態にしたがう、成形された靴１００またはその他の装着用の物品に装飾的なアクセサリー２０５を固定するためのシステム３００を示している。この実施形態は、軸２１０のいずれかの端における２つの等しいサイズのショルダー３０５および３１０を含んでいる。少なくとも１つのショルダー（３０５または３１０）は、薄型のショルダーであり得る。
【００２６】
図４は、本発明の例示的な実施形態にしたがう、成形された靴１００またはその他の装着用の物品に装飾的なアクセサリー２０５を固定するためのシステム４００を示している。システム４００において、ショルダー４１０および４１５は、サイズが異なっている。この例示的な実施形態において、大きな方のショルダー４１５は、薄型のショルダーであり、装着用の物品（例えば、成形された靴１００）の内面上に配置される。小さな方のショルダー４１０は、上述のように、装着用の物品の外面と係合するように、または拡張されていない状態の拡張可能な穴の内部にフィットするように構成されている。
【００２７】
図５は、本発明の例示的な実施形態にしたがう、成形された靴１００またはその他の装着用の物品に装飾用のアクセサリー２０５を固定するためのシステム５００を示している。システム５００は、バレルナットを含んでおり、これは、金属またはその他の適切な材料から形成され得る。このバレルナットは、２つの等しいサイズのショルダー５０５および５１０を含んでいる。ショルダーのうちの１つは、バレルナットのメス部分の一部であり、その他のショルダーは、バレルナットのオス部分の一部である。ネジ切りされたバレルナットは、システム５００が様々な厚さの材料に対して調整されることを可能にする。図５に示されているように、システム５００の１つまたは両方のショルダーは、丸みが付けられた形状（ショルダー５０５を参照されたい）またはその他の形状であり得る。図５において、バレルナットの２つの部分は、互いにネジ留めされた状態で示されている。
【００２８】
図６は、本発明の例示的な実施形態にしたがう、成形された靴１００またはその他の装着用の物品に装飾的なアクセサリー２０５を固定するためのシステム６００を示している。システム６００は、２つの異なるサイズのショルダー６０５および６１０を含んでおり、これらのうちの少なくとも１つは、丸みが付けられており、これらのうちの少なくとも１つは、薄型のショルダーである。
【００２９】
図７Ａおよび図７Ｂは、本発明の例示的な実施形態にしたがう、成形された靴１００またはその他の装着用の物品に装飾的なアクセサリー２０５を固定するためのシステム７００を示している。システム７００は、１つのショルダーおよびシャフト２１０を含むボタンスナップのオス部分７０５（図７Ａ）と、第２のショルダーを含むボタンスナップの適合するメス部分７１０（図７Ｂ）とを含んでいる。
【００３０】
図８Ａ〜図８Ｄは、本発明の例示的な実施形態にしたがう、成形された靴１００またはその他の装着用の物品に装飾的なアクセサリー２０５を固定するためのシステム８００の概略図である。システム８００は、ロッキングファスナーを含んでおり、このロッキングファスナーは、装着用の材料（例えば、フォーム）自身の圧縮性をバネとして使用する。図８Ａは、固定ショルダー８０５および軸２１０を含むシステム８００の一部の断面を示している。固定ショルダー８０５は、内部ショルダーとして、装着者の不快感を最小化するために薄型のショルダーを含み得る。代替的に、固定ショルダー８０５は、外部ショルダーとして、装飾的なアクセサリー２０５に取り付けられたり、または装飾的なアクセサリー２０５と一体的であったりし得る。
【００３１】
この実施形態において、軸２１０の端８１０は、長方形のフランジ８１５を含む固定ショルダー８０５と対向する。長方形のフランジ８１５は、適合する受容部における長方形の切り抜きを通って挿入されるように構成されている。装着用の材料がわずかに圧縮される間に、長方形のフランジ８１５が９０度回転される（捩られる）ときに、長方形のフランジ８１５は、受容部における長方形の窪みと係合する。装着用の材料上の圧力の解放はバネとして機能し、フランジ８１５を所定の場所にロックし、受容部を第２のショルダーとして確立させる。図８Ｂは、図８Ａに示されているシステム８００の一部の別の側面図を示している。
【００３２】
図８Ｃは、システム８００の受容部８２０の断面図を示している。受容部８２０は、装着者の足またはその他の身体部分に対して薄型であるように、丸みが付けられている。図８Ｄは、受容部８２０の底面図を示しており、これは、長方形の切り抜き８２５および長方形の窪み８３０を示している。
【００３３】
図９Ａ〜図９Ｃは、本発明の例示的な実施形態にしたがう、成形された靴１００またはその他の装着用の物品の装飾的なアクセサリー２０５を固定するためのシステム９００を示している。システム９００は、取り外し可能なショルダー９１５（図９Ｂおよび図９Ｃ）と係合する軸２１０上のリップリング９０５および９１０（図９Ａ）を含んでいる。取り外し可能なショルダー９１５は、軸２１０にスライドされ得、リップリングの一方または両方を通され（９０５および／または９１０）、様々な厚さの装着用の材料に対する調整可能性を提供する。例えば、低い方のリップ９０５は、システム９００を厚い成人モデルの靴１００に固定するために使用され得る。上方のリップ９１０は、システム９００を薄い子供モデルの靴１００に固定するために使用され得る。
【００３４】
図９Ｃは、取り外し可能なショルダー９１５の側面図であり、取り外し可能なショルダー９１５が、丸みが付けられた底の形状を有していること、および取り外し可能なショルダー９１５が、その中心における穴の内部に沿って周囲のリッジ９２０を含み得ることを示している（図９Ｃにおける破線は隠れた線を示している）。周囲のリッジ９２０は、取り外し可能なショルダー９１５を所定の場所に固定するために、力を加えられてリップリングの一方または両方（９０５および／または９１０）を通される。
【００３５】
図１０Ａおよび図１０Ｂは、本発明の例示的な実施形態にしたがう、成形された靴１００またはその他の装着用の物品に装飾的なアクセサリー２０５を固定するためのシステム１０００を示している。図１０Ａを参照すると、システム１０００は、シングルタブアンドスロットバイオネットタイプ（ｓｉｎｇｌｅ−ｔａｂ−ａｎｄ−ｓｌｏｔ  ｂａｙｏｎｅｔ−ｔｙｐｅ）のファスナーを含んでいる。軸２１０はタブ１００５と共に、穴１００７に挿入され、バネ（例えば、フォームの一部分）１０１５の十分な圧縮を介してスロット１０１０と整列される。タブ１００５をスロット１０１０の限界に到達させ、ファスナーを所定の場所にロックしているバネ１０１５の圧縮を解放するために、軸２１０を回転させる。図１０Ｂは、システム１０００の２つの部分が互いに留め合わされた後のシステム１０００を示している。
【００３６】
図１１Ａおよび図１１Ｂは、本発明の例示的な実施形態にしたがう、成形された靴１００またはその他の装着用の物品に装飾的なアクセサリー２０５を固定するためのシステム１１００を示している。図１１Ａを参照すると、システム１１００は、システム１１００が２つのタブ１００５および２つの対応するスロット１０１０を有していることを除き、上のシステム１０００と類似している。図１１Ｂは、システム１１００の２つの部分が互いに留め合わされた後のシステム１１００を示している。
【００３７】
図１２Ａおよび図１２Ｂは、本発明の例示的な実施形態にしたがう、成形された靴１００およびその他の装着用の物品に装飾的なアクセサリー２０５を固定するためのシステム１２００を示している。図１２Ａを参照すると、システム１２００は、第３のショルダー２２５上のタブ１２０５および第２のショルダー２２０における受容部１２１０を含むポップリベット状（ｐｏｐ−ｒｉｖｅｔ−ｌｉｋｅ）のファスナーを用いることによって、第３のショルダー２２５が第２のショルダー２２０に取り付けられることを除き、上のシステム１１００と類似している。ポップリベット状のファスナーの２つの部分は、第３のショルダー２２５を第２のショルダー２２０に固定させるために、力を加えて係合され得る。図１２Ｂは、システム１２００の３つの部分が互いに留め合わされた後のシステム１２００を示している。
【００３８】
図１３Ａ〜図１３Ｄは、本発明の例示的な実施形態にしたがう、成形された靴１００またはその他の装着用の物品に装飾的なアクセサリー２０５を固定するためのシステム１３００を示している。図１３Ａを参照すると、システム１３００は、第１のショルダー２１５を含む受容部にロックされたときに、第２のショルダー２２０の反対側の軸２１０の端を内側に屈曲させることが可能な一連のスロット１３０５を含んでいることを除き、上のシステム１１００と類似している。図１３Ｂ〜図１３Ｄは、システム１３００の２つの部分が互いに留め合わされたときのシステム１３００の追加的な図を示している。
【００３９】
図１４Ａおよび図１４Ｂは、本発明の例示的な実施形態にしたがう、成形された靴１００またはその他の装着用の物品に装飾用のアクセサリー２０５を固定するためのシステム１４００を示している。図１４Ａを参照すると、システム１４００は、スライディングファスナーを含んでいる。第２のショルダー２２０は、第１のショルダー２１５の反対側の軸２１０の端のまわりのリム１４０５上にスライドされるように構成されている。図１４Ｂは、システム１４００の２つの部分が互いに留め合わされた後のシステム１４００を示している。
【００４０】
図１５Ａ〜図１５Ｃは、本発明の例示的な実施形態にしたがう、成形された靴１００またはその他の装着用の物品に装飾用のアクセサリー２０５を固定するためのシステム１５００を示している。図１５Ａを参照すると、システム１５００は、図７Ａおよび図７Ｂに示されているボタンスナップとは異なるスナップファスナーを含んでいる。第２のショルダー２２０および軸２１０を含むオス部分は、第１のショルダー２１５を含む受容（メス）部に力を加えて留められる。十分密着したフィットを容易にするために、軸２１０はオスのリム１５０５を含んでおり、受容部はメスのリム１５１０を含んでいる。図１５Ｂは、システム１５００の構造を明瞭化するために追加的な隠れた線を示している。図１５Ｃは、システム１５００の２つの部分が互いに留め合わされた後のシステム１５００を示している。
【００４１】
結論として、本発明は特に、靴およびその他の装着用の物品にアクセサリーを固定するためのシステムおよび方法を提供する。当業者は、本発明に対して数多くのバリエーションおよび代替がなされ得、それらの使用および構成は、本明細書中に記載された実施形態によって達成されるものと実質的に同じ結果を達成することを容易に理解し得る。したがって、本発明を開示された例示的な形態に限定することは一切意図されていない。多くのバリエーション、改変、および代替的な構成は、請求の範囲に述べられている本開示発明の範囲の中に含まれている。
【図面の簡単な説明】
【００４２】
【図１】図１は、上部に穴を有する成形された靴を示している。
【図２Ａ】図２Ａは、本発明の例示的な実施形態にしたがう、上部の穴の１つに設けられたアクセサリーを有する成形された靴を示している。
【図２Ｂ】図２Ｂは、本発明の例示的な実施形態にしたがう、衣類に装飾的なアクセサリーを取り付けるためのシステムを示している。
【図２Ｃ】図２Ｃは、本発明の別の例示的な実施形態にしたがう、比較的厚い材料から構成され、比較的大きい穴を有している衣類に装飾的なアクセサリーを取り付けるためのシステムを示している。
【図２Ｄ】図２Ｄは、本発明のさらに別の例示的な実施形態にしたがう、比較的薄い材料から構成され、比較的小さい穴を有している衣類に装飾的なアクセサリーを取り付けるためのシステムを示している。
【図２Ｅ】図２Ｅは、本発明の例示的な実施形態にしたがう、衣類に装飾的なアクセサリーを取り付けるためのシステムの第１のショルダーの横断面の形状を示している。
【図２Ｆ】図２Ｆは、本発明の別の例示的な実施形態にしたがう、衣類に装飾的なアクセサリーを取り付けるためのシステムの第１のショルダーの横断面の形状を示している。
【図３】図３は、２つの等しいサイズのショルダーを含む、衣類に装飾的なアクセサリーを取り付けるためのシステムの実施形態を示している。
【図４】図４は、異なるサイズのショルダーを含む、衣類に装飾的なアクセサリーを取り付けるためのシステムの別の実施形態を示している。
【図５】図５は、可変の材料の厚さを調整するための調整可能なバレルナットを含む、衣類に装飾的なアクセサリーを取り付けるためのシステムの別の実施形態を示している。
【図６】図６は、異なるサイズの丸みが付けられたショルダーを含む、衣類に装飾的なアクセアリーを取り付けるためのシステムの別の実施形態を示している。
【図７】図７Ａおよび図７Ｂは、ボタンスナップのオス部分およびメス部分をそれぞれ含む、衣類に装飾的なアクセサリーを取り付けるためのシステムの別の実施形態を示している。
【図８】図８Ａ〜図８Ｄは、衣類に装飾的なアクセサリーを取り付けるためのシステムの別の実施形態を示しており、これは、圧縮可能な衣類材料がバネとして機能するロッキングファスナーを含んでいる。
【図９】図９Ａ〜図９Ｃは、衣類に装飾的なアクセサリーを取り付けるためのシステムの別の実施形態を示しており、これは、２つのリップリングを有しているシャフトと、可変の厚さの衣類材料に対する取り外し可能なショルダーとを含んでいる。
【図１０】図１０Ａおよび図１０Ｂは、衣類に装飾的なアクセサリーを取り付けるためのシステムの別の実施形態を示しており、これは、シングルタブアンドスロットバイオネットタイプのファスナーを含んでいる。
【図１１】図１１Ａおよび図１１Ｂは、衣類に装飾的なアクセサリーを取り付けるためのシステムの別の実施形態を示しており、これは、ダブルタブアンドスロットバイオネットタイプのファスナーを含んでいる。
【図１２】図１２Ａおよび図１２Ｂは、衣類に装飾的なアクセサリーを取り付けるためのシステムの別の実施形態を示しており、これは、ダブルタブアンドスロットバイオネットタイプのファスナーと、別のショルダーにスナップするショルダーとを含んでいる。
【図１３】図１３Ａ〜図１３Ｄは、衣類に装飾的なアクセサリーを取り付けるためのシステムの別の実施形態を示しており、これは、ダブルタブアンドスロットバイオネットタイプのファスナーと、変形可能な軸の端とを含んでいる。
【図１４】図１４Ａおよび図１４Ｂは、衣類に装飾的なアクセサリーを取り付けるためのシステムの別の実施形態を示しており、これは、スライディングファスナーを含んでいる。
【図１５】図１５Ａ〜図１５Ｃは、衣類に装飾的なアクセサリーを取り付けるための別の実施形態を示しており、これは、スナップファスナーを含んでいる。
【図１】
2009500125.tif 000003
【図２Ａ】
2009500125.tif 000004
【図２Ｂ】
2009500125.tif 000005
【図２Ｃ】
2009500125.tif 000006
【図２Ｄ】
2009500125.tif 000007
【図２Ｅ】
2009500125.tif 000008
【図２Ｆ】
2009500125.tif 000009
【図３】
2009500125.tif 000010
【図４】
2009500125.tif 000011
【図５】
2009500125.tif 000012
【図６】
2009500125.tif 000013
【図７Ａ】
2009500125.tif 000014
【図７Ｂ】
2009500125.tif 000015
【図８Ａ】
2009500125.tif 000016
【図８Ｂ】
2009500125.tif 000017
【図８Ｃ】
2009500125.tif 000018
【図８Ｄ】
2009500125.tif 000019
【図９Ａ】
2009500125.tif 000020
【図９Ｂ】
2009500125.tif 000021
【図９Ｃ】
2009500125.tif 000022
【図１０Ａ】
2009500125.tif 000023
【図１０Ｂ】
2009500125.tif 000024
【図１１Ａ】
2009500125.tif 000025
【図１１Ｂ】
2009500125.tif 000026
【図１２Ａ】
2009500125.tif 000027
【図１２Ｂ】
2009500125.tif 000028
【図１３Ａ】
2009500125.tif 000029
【図１３Ｂ】
2009500125.tif 000030
【図１３Ｃ】
2009500125.tif 000031
【図１３Ｄ】
2009500125.tif 000032
【図１４Ａ】
2009500125.tif 000033
【図１４Ｂ】
2009500125.tif 000034
【図１５Ａ】
2009500125.tif 000035
【図１５Ｂ】
2009500125.tif 000036
【図１５Ｃ】
2009500125.tif 000037
【国際調査報告】
2009500125.tif 000038